(57)【特許請求の範囲】
【請求項１】
内燃機関及び車室内空調用のエアコンディショナが搭載された車両の制御装置であって、
内燃機関とエアコンディショナの冷媒圧縮用コンプレッサとの間に介在するクラッチを締結してコンプレッサを稼働させるに際し、内燃機関の気筒に充填するべき吸気量を増量補正するための遅延時間を設け、その遅延時間を経た後にクラッチを締結するものとし、
前記遅延時間の長さを、そのときのエンジン回転数及び車速に応じて変更することとし、車速が同等であるという条件の下で、エンジン回転数が中程度である場合に遅延時間を最も長く設定し、エンジン回転数がそれよりも高いか低い場合に遅延時間をより短くする、
または、前記遅延時間の長さを、そのときのエンジン回転数及び内燃機関と車軸とを繋ぐ変速機の変速比に応じて変更することとし、変速機の変速比が同等であるという条件の下で、エンジン回転数が中程度である場合に遅延時間を最も長く設定し、エンジン回転数がそれよりも高いか低い場合に遅延時間をより短くする制御装置。
【発明の詳細な説明】
【技術分野】
【０００１】
本発明は、内燃機関及び車室内空調用のエアコンディショナが搭載された車両の制御装置に関する。
【背景技術】
【０００２】
車両の室内の温度調節のために働くエアコンディショナは、内燃機関から駆動力の伝達を受けて回転するコンプレッサにより気体の冷媒を圧縮し、その圧縮した冷媒をコンデンサにおいて放熱させ液体化した後、エバポレータに導いて気化させ、室内の空気と熱交換するものである。内燃機関と冷媒圧縮用のコンプレッサとの間には、両者を断接するマグネットクラッチが介在している。内燃機関及び補機の運転制御を司る電子制御装置（Ｅｌｅｃｔｒｏｎｉｃ  Ｃｏｎｔｒｏｌ  Ｕｎｉｔ）は、エアコンディショナの作動時に当該クラッチを締結してコンプレッサを稼働させる。そして、エアコンディショナの非作動時には当該クラッチを開放し、コンプレッサの稼働を停止させる（例えば、下記特許文献を参照）。
【先行技術文献】
【特許文献】
【０００３】
【特許文献１】特開２０１５−１０５６０３号公報
【発明の概要】
【発明が解決しようとする課題】
【０００４】
クラッチを締結して冷媒圧縮用コンプレッサを稼働させるとき、内燃機関に対する機械的な負荷が急増する。これにより、コンプレッサの稼働に起因してエンジン回転数が低落し、車体にショックを与える懸念がある。そこで、クラッチの締結に先んじて内燃機関の気筒に充填される吸気量（及び、燃料噴射量）を増量して内燃機関の出力トルクを増大させ、しかる後クラッチを締結することで、エンジン回転数の低落及びこれに伴うショックの発生を抑制することが通例となっている。
【０００５】
だが、吸気量を増量するべくスロットルバルブの開度を拡大する操作を行ってから、実際に気筒に充填される吸気量が増加するまでの間にはタイムラグが存在している。そして、そのタイムラグの長さは、そのときの吸気慣性の大きさによる影響を受ける。スロットルバルブの開度の拡大後、クラッチを締結するまでの遅延時間の長さを常に一定としていると、内燃機関の運転領域によっては、気筒に充填される吸気量が十分に増加する前に、つまりはエンジントルクが十分に増大する前にクラッチを締結することになる。結果、エンジン回転数の低下とともに、搭乗者の身体に明確に知覚される振動（しゃくり）を車体に引き起こすおそれがある。
【０００６】
以上の問題に着目してなされた本発明は、車両に搭載されたエアコンディショナの冷媒圧縮用コンプレッサを稼働させる際の車体へのショックの発生をできる限り小さく抑えることを所期の目的としている。
【課題を解決するための手段】
【０００７】
本発明では、内燃機関及び車室内空調用のエアコンディショナが搭載された車両の制御装置であって、内燃機関とエアコンディショナの冷媒圧縮用コンプレッサとの間に介在するクラッチを締結してコンプレッサを稼働させるに際し、内燃機関の気筒に充填するべき吸気量を増量補正する遅延時間を設け、その遅延時間を経た後にクラッチを締結するものとし、前記遅延時間の長さを、そのときのエンジン回転数及び車速に応じて変更することとし、車速が同等であるという条件の下で、エンジン回転数が中程度である場合に遅延時間を最も長く設定し、エンジン回転数がそれよりも高いか低い場合に遅延時間をより短くする、または、前記遅延時間の長さを、そのときのエンジン回転数及び内燃機関と車軸とを繋ぐ変速機の変速比に応じて変更することとし、変速機の変速比が同等であるという条件の下で、エンジン回転数が中程度である場合に遅延時間を最も長く設定し、エンジン回転数がそれよりも高いか低い場合に遅延時間をより短くする制御装置を構成した。
【発明の効果】
【０００８】
本発明によれば、エアコンディショナの冷媒圧縮用コンプレッサを稼働させる際の車体へのショックの発生を小さく抑えることができる。
【図面の簡単な説明】
【０００９】
【図１】本発明の一実施形態における内燃機関及び制御装置の概略構成を示す図。
【図２】同実施形態における車両用エアコンディショナの構成を示す図。
【図３】同実施形態の制御装置が実行する処理の内容を示すタイミング図。
【図４】エンジン回転数並びに車速若しくは変速機の変速比と遅延時間の長さとの関係を例示する図。
【発明を実施するための形態】
【００１０】
本発明の一実施形態を、図面を参照して説明する。図１に、本実施形態における車両用内燃機関の概要を示す。本実施形態における内燃機関は、火花点火式の４ストロークエンジンであり、複数の気筒１（例えば、三気筒エンジン。図１には、そのうち一つを図示している）を具備している。各気筒１の吸気ポート近傍には、燃料を噴射するインジェクタ１１を設けている。また、各気筒１の燃焼室の天井部に、点火プラグ１２を取り付けてある。点火プラグ１２は、点火コイルにて発生した誘導電圧の印加を受けて、中心電極と接地電極との間で火花放電を惹起するものである。点火コイルは、半導体スイッチング素子であるイグナイタとともに、コイルケースに一体的に内蔵される。
【００１１】
吸気を供給するための吸気通路３は、外部から空気を取り入れて各気筒１の吸気ポートへと導く。吸気通路３上には、エアクリーナ３１、電子スロットルバルブ３２、サージタンク３３、吸気マニホルド３４を、上流からこの順序に配置している。
【００１２】
排気を排出するための排気通路４は、気筒１内で燃料を燃焼させた結果発生した排気を各気筒１の排気ポートから外部へと導く。この排気通路４上には、排気マニホルド４２及び排気浄化用の三元触媒４１を配置している。
【００１３】
外部ＥＧＲ（Ｅｘｈａｕｓｔ  Ｇａｓ  Ｒｅｃｉｒｃｕｌａｔｉｏｎ）装置２は、いわゆる高圧ループＥＧＲを実現するものである。ＥＧＲ装置２は、排気通路４における触媒４１の上流側と吸気通路３におけるスロットルバルブ３２の下流側とを連通する外部ＥＧＲ通路２１と、ＥＧＲ通路２１上に設けたＥＧＲクーラ２２と、ＥＧＲ通路２１を開閉し当該ＥＧＲ通路２１を流れるＥＧＲガスの流量を制御するＥＧＲバルブ２３とを要素とする。ＥＧＲ通路２１の入口は、排気通路４における排気マニホルド４２またはその下流の所定箇所に接続している。ＥＧＲ通路２１の出口は、吸気通路３におけるスロットルバルブ３２の下流の所定箇所、具体的にはサージタンク３３に接続している。
【００１４】
図２に、車両の室内の空調を行うエアコンディショナ５の構成を示す。エアコンディショナ５は、冷媒を圧縮し高圧化するコンプレッサ５１と、圧縮された高圧冷媒を放熱させて液化させるコンデンサ５２と、コンデンサ５２を強制的に空冷するためのコンデンサファン５３と、液化しなかった気体の冷媒を液化した冷媒から分離するレシーバ５４と、液化した冷媒を噴出させるエキスパンションバルブ５５と、噴出して気化した冷媒を受け入れ室内の空気と熱交換させるエバポレータ５６と、高温化した内燃機関の冷却水を受け入れ室内の空気と熱交換させるヒータコア５９と、室内の空気を吸引しエバポレータ５６に向けて吐出してその空気を再び室内に送り込むブロワファン５７と、ブロワファン５７から吐出されエバポレータ５６を通り抜けた空気をどの程度ヒータコア５９に吹き当てるかを調節するエアミックスダンパ５０とを要素に含む。コンプレッサ５１、コンデンサ５２、レシーバ５４、エキスパンションバルブ５５及びエバポレータ５６は、ループする冷媒流路により接続してある。
【００１５】
コンプレッサ５１は、内燃機関に付随する補機の一種であり、内燃機関の出力軸であるクランクシャフトから回転駆動力の伝達を受けて回転駆動され、冷媒を圧縮する。本実施形態では、コンプレッサ５１として、ベーン式のロータリコンプレッサを想定している。内燃機関のクランクシャフトとコンプレッサ５１との間には、両者の接続を断接切換可能なマグネットクラッチ６が介在する。
【００１６】
コンデンサ５２は、車両のエンジンルームにおける走行風が当たる部位に配置しており、コンデンサファン５３を回転させているか否かにかかわらず、車両の走行中にエンジンルームに吹き込む走行風により冷却される。コンデンサ５２の背後には、内燃機関の冷却水を放熱させるラジエータ７が控えている。ラジエータ７もまた、走行風により冷却される。
【００１７】
コンデンサファン５３は、内燃機関の冷却水を放熱させるラジエータ７を強制的に空冷するためのラジエータファンをも兼ねている。コンデンサファン兼ラジエータファン５３は、ラジエータ７の背後に位置し、前方から空気を吸引して後方に吐出することで、コンデンサ５２及びラジエータ７をともに冷却する。
【００１８】
ブロワファン５７から吐出された空気は、エバポレータ５６を通過する際に、冷媒から冷熱を得（冷媒に熱を奪われ）て低温化する。同時に、当該空気に含まれていた水蒸気が凝縮してエバポレータ５６に付着し、湿度が低下する。エバポレータ５６は、夏期に室内の温度を低下させる冷房のためだけでなく、冬季に室内の湿度を低下させて車両の窓ガラスの曇りを低減する役割をも担う。
【００１９】
エアミックスダンパ５０は、エバポレータ５６を通過した空気のうち、ヒータコア５９を通過して室内に向かう空気の量と、ヒータコア５９を迂回して室内に向かう空気の量との割合を調節する。このエアミックスダンパ５０により、室内に吹き出す風の温度を調整することが可能である。
【００２０】
本実施形態の制御装置たるＥＣＵ０は、プロセッサ、メモリ、入力インタフェース、出力インタフェース等を有したマイクロコンピュータシステムである。
【００２１】
ＥＣＵ０の入力インタフェースには、車両の実車速を検出する車速センサから出力される車速信号ａ、クランクシャフトの回転角度及びエンジン回転数を検出するクランク角センサ（エンジン回転センサ）から出力されるクランク角信号ｂ、運転者によるアクセルペダルの踏込量をアクセル開度（いわば、要求負荷）として検出するセンサから出力されるアクセル開度信号ｃ、吸気通路３（特に、サージタンク３３）内の吸気温及び吸気圧を検出する温度・圧力センサから出力される吸気温・吸気圧信号ｄ、内燃機関の温度を示唆する冷却水温を検出する水温センサから出力される水温信号ｅ、外気温を検出する外気温センサから出力される外気温信号ｆ、吸気カムシャフトの複数のカム角にてカム角センサから出力されるカム角信号ｇ、エバポレータ５６若しくはその近傍またはその下流の温度を検出する温度センサから出力されるエバポレータ温信号ｈ、エアコンディショナ５のコンデンサ５２から流下する（コンデンサの下流５２かつエキスパンションバルブ５５の上流の）冷媒の圧力を検出する冷媒圧センサから出力される冷媒圧信号ｍ、気筒１を内包しているシリンダブロックの振動の大きさを検出する振動式のノックセンサから出力される振動信号ｎ、車室内の温度を検出する室内温センサから出力される室内温信号ｔ等が入力される。
【００２２】
ＥＣＵ０の出力インタフェースからは、点火プラグ１２のイグナイタに対して点火信号ｉ、インジェクタ１１に対して燃料噴射信号ｊ、スロットルバルブ３２に対して開度操作信号ｋ、ＥＧＲバルブ２３に対して開度操作信号ｌ、マグネットクラッチ６に通電する電気回路上のスイッチに対してクラッチ締結信号ｏ等を出力する。
【００２３】
ＥＣＵ０のプロセッサは、予めメモリに格納されているプログラムを解釈、実行し、運転パラメータを演算して内燃機関の運転を制御する。ＥＣＵ０は、内燃機関の運転制御に必要な各種情報ａ、ｂ、ｃ、ｄ、ｅ、ｆ、ｇ、ｈ、ｍ、ｎ、ｔを入力インタフェースを介して取得し、エンジン回転数を知得するとともに気筒１に充填される吸気量を推算する。そして、それらエンジン回転数及び吸気量に基づき、吸気量に見合った要求燃料噴射量、燃料噴射タイミング（一度の燃焼に対する燃料噴射の回数を含む）、燃料噴射圧、点火タイミング、要求ＥＧＲ率、エアコンディショナ５のコンプレッサ５１の稼働のＯＮ／ＯＦＦ等といった各種運転パラメータを決定する。ＥＣＵ０は、運転パラメータに対応した各種制御信号ｉ、ｊ、ｋ、ｌ、ｏを出力インタフェースを介して印加する。
【００２４】
本実施形態のＥＣＵ０は、エアコンディショナ５を作動させるべき旨の指令が搭乗者によって与えられ、コンプレッサ５１を稼働させて冷媒の圧縮を実行するべき状況において、マグネットクラッチ６を締結し、内燃機関のクランクシャフトとコンプレッサ５１とを接続する。コンプレッサ５１を稼働させるべき状況とは、例えば、エバポレータ温信号ｈを参照して知得されるエバポレータ温度が所定の稼働条件温度よりも高いときである。エアコンディショナ５を作動させるべき旨の指令は、例えば、搭乗者がコックピット内に設けられたエアコンスイッチを手指でＯＮに操作することを通じて行われる。
【００２５】
そして、コンプレッサ５１を停止するべき状況では、マグネットクラッチ６の締結を解除して、内燃機関のクランクシャフトとコンプレッサ５１とを切り離す。コンプレッサ５１を停止するべき状況とは、例えば、エバポレータ温度が所定の停止条件温度よりも高いときである。停止条件温度の値は、上記の稼働条件温度の値よりもやや（例えば、１℃ないし２℃程度）低い。
【００２６】
図３に、ＥＣＵ０が停止していたコンプレッサ５１を稼働させる際に実行する制御の内容を示す。ＥＣＵ０は、コンプレッサ５１を稼働させるべき状況にあると判断した時点ｔ1からマグネットクラッチ６を締結する時点ｔ2（または、ｔ2’）までの間の遅延時間において、スロットルバルブ３２の開度をアクセルペダルの踏込量に対応した大きさよりも拡大させる操作を行う。これは、気筒１に充填される吸気量及び燃料噴射量を増量することで、クラッチ６の締結前に予め内燃機関の出力するエンジントルクを増大させておき、クラッチ６締結時におけるエンジン回転数の低落及び車体へのショックの発生を抑制する意図である。
【００２７】
その上で、本実施形態のＥＣＵ０は、上記の遅延時間の長さを、コンプレッサ５１を稼働させる際のエンジン回転数及び車速の高低に応じて調整する。図３において、実線は遅延時間（時点ｔ1から時点ｔ2まで）が比較的短い場合を表しており、鎖線は遅延時間（時点ｔ1から時点ｔ2’まで）が比較的短い場合を表している。
【００２８】
図４に、エンジン回転数及び車速と、ＥＣＵ０が設定する遅延時間の長さとの関係を例示している。原則的には、時点ｔ1にてスロットルバルブ３２の開度を拡大してから、実際に気筒１に充填される吸気量が必要十分に増加する（即ち、エンジントルクが必要十分に高まる）までに要する時間の長さに応じて、遅延時間を設定する。より具体的には、車速が同等であるという条件の下で、エンジン回転数が中程度である場合に遅延時間を最も長く設定し、エンジン回転数がそれよりも高い、または低い場合に遅延時間をより短くする。エンジン回転数が既に十分に高い高回転領域では、クラッチ６の締結に伴うエンジン回転数の低下による悪影響が相対的に小さい。また、エンジン回転数が最も低いアイドル領域では、そもそもアクセルペダルの踏込量が０または僅少で、車両が減速中である蓋然性が高い。従って、高回転領域やアイドル領域では、遅延時間を長く確保する必要性に乏しいと考えられる。
【００２９】
また、クラッチ６の締結時に車体にショックやしゃくりが発生する問題は、車速が低いときに顕在化しやすい。そこで、本実施形態のＥＣＵ０は、エンジン回転数が同等であるという条件の下では、車速が低い場合における遅延時間を、車速がより高い場合における遅延時間と比較して長く設定する。但し、車速が０、即ち車両が停車しているときはこの限りでない。
【００３０】
ＥＣＵ０のメモリには予め、エンジン回転数及び車速と、設定するべき遅延時間との関係を規定したマップデータが格納されている。ＥＣＵ０は、停止していたコンプレッサ５１を稼働させるにあたり、現在のエンジン回転数及び車速をキーとして当該マップを検索し、スロットルバルブ３２の開度の拡大操作からクラッチ６の締結までの間の遅延時間の長さを決定する。
【００３１】
本実施形態では、内燃機関及び車室内空調用のエアコンディショナ５が搭載された車両の制御装置０であって、内燃機関とエアコンディショナ５の冷媒圧縮用コンプレッサ５１との間に介在するクラッチ６を締結してコンプレッサ５１を稼働させるに際し、内燃機関の気筒１に充填するべき吸気量を増量補正するための遅延時間を設け、その遅延時間を経た後にクラッチ６を締結するものとし、前記遅延時間の長さを、そのときのエンジン回転数及び車速に応じて変更する制御装置０を構成した。
【００３２】
本実施形態によれば、停止していたコンプレッサ５１を稼働させるべき状況において、クラッチ６の締結前にエンジントルクを必要十分に高め、クラッチ６の締結時のエンジン回転数の低落を抑制することができる。加えて、クラッチ６の締結時に車体にショックやしゃくりが発生しやすい低車速での走行中に、スロットルバルブ３２の開度の拡大からクラッチ６の締結までの間の遅延時間を延長することで、車体にショックやしゃくりが発生する問題を緩和ないし解消することができる。特に、車両に搭載される内燃機関と当該車両の車軸（または、駆動輪）との間を繋ぐ駆動系にトルクコンバータが介在していないＭＴ車やデュアルクラッチＡＴ（ＤＣＴ）車、または低車速の段階からトルクコンバータをロックアップするＣＶＴ車において、本実施形態の制御装置０の高い効用を享受できる。
【００３３】
なお、本発明は以上に詳述した実施形態に限られるものではない。例えば、上記実施形態では、コンプレッサ５１を稼働させようとする際のエンジン回転数及び車速に応じて、スロットルバルブ３２の開度の拡大からクラッチ６の締結までの間の遅延時間を変更することとしていたが、これに代えて、コンプレッサ５１を稼働させようとする際のエンジン回転数及び車両の駆動系の変速機の変速比に応じて、上記の遅延時間を変更するようにしても構わない。
【００３４】
その場合には、図４における縦軸を、車速ではなく、内燃機関と車軸とを繋ぐ変速機の変速比または変速段に置き換える。図４における高車速側（図中下方）が、変速機の減速比が小さい、または変速段（シフトポジション）が高速段（ハイギヤ）側であることに相当する。そして、図４における低車速側（図中）が、変速機の減速比が大きい、または変速段が低速段（ローギヤ）側であることに相当する。
【００３５】
この場合の制御装置たるＥＣＵ００は、変速機の減速比または変速段が同等であるという条件の下で、エンジン回転数が中程度である場合に遅延時間を最も長く設定し、エンジン回転数がそれよりも高い、または低い場合に遅延時間をより短くする。
【００３６】
また、クラッチ６の締結時に車体にショックやしゃくりが発生する問題は、変速機の減速比が大きい、または変速段が低速段であるときに顕在化しやすい。そこで、ＥＣＵ０は、エンジン回転数が同等であるという条件の下では、変速機の減速比が大きいか変速段が低速段である場合における遅延時間を、変速機の減速比が小さいか変速段が高速段である場合における遅延時間と比較して長く設定する。但し、車速が０、即ち車両が停車しているときはこの限りでない。
【００３７】
ＥＣＵ０のメモリには予め、エンジン回転数及び変速機の変速比（減速比または変速段）と、設定するべき遅延時間との関係を規定したマップデータが格納されている。ＥＣＵ０は、停止していたコンプレッサ５１を稼働させるにあたり、現在のエンジン回転数及び変速機の変速比をキーとして当該マップを検索し、スロットルバルブ３２の開度の拡大操作からクラッチ６の締結までの間の遅延時間の長さを決定する。ＭＴ車にあっては、シフトポジションスイッチの出力信号を参照して現在のシフトレバーの位置即ち変速機の変速段を知得することができる。また、ＡＴ車やＣＶＴ車にあっては、ＥＣＵ０が変速機の変速比を制御するため、ＥＣＵ０自身が現在の変速機の変速比を把握している。
【００３８】
因みに、内燃機関とコンプレッサ５１との間に介在するクラッチ６は、マグネットクラッチには限定されず、液圧（油圧）制御される態様のクラッチであっても構わない。
【００３９】
その他各部の具体的構成は、本発明の趣旨を逸脱しない範囲で種々変形が可能である。
【産業上の利用可能性】
【００４０】
本発明は、車両に搭載されているエアコンディショナの制御に適用できる。
【符号の説明】
【００４１】
０…制御装置（ＥＣＵ）
１…気筒
１１…インジェクタ
３２…スロットルバルブ
５…エアコンディショナ
５１…冷媒圧縮用コンプレッサ
６…クラッチ
ａ…車速信号
ｂ…クランク角信号
ｊ…燃料噴射信号
ｋ…開度操作信号
ｏ…クラッチ締結信号
【図１】
0006704636.tif 000002
【図２】
0006704636.tif 000003
【図３】
0006704636.tif 000004
【図４】
0006704636.tif 000005